(57)【要約】【課題】ターボファンのブレードの負圧面側に複数の略半球形状のディンプルを設けることにより、ブレードの負圧面側での剥離が減少するため、送風騒音を低減することができる空気調和機の送風機を提供する。【解決手段】ターボファン３は、ボス部３ａと、前記ボス部３ａの外周に連設されたホーン状のテーパ部３ｂと、前記テーパ部３ｂの先端に連設され前記ボス部３ａの軸線と直交するドーナツ状の円盤部３ｃと、一端側が前記円盤部３ｃに連結され他端側に吸込みリング３ｄが連結された複数のブレード３ｅからなる。また、前記複数のブレード３ｅそれぞれの負圧面側に複数の略半球形状のディンプル３ｆを設けることにより、前記ブレードの負圧面側での剥離が減少するため、送風騒音を低減することができる。【選択図】図１
2007303714.tif 000002
【特許請求の範囲】
【請求項１】
モータと、ターボファンと、前記ターボファンの吸い込み側の外周を囲むオリフィスと、吹出グリルとで構成され、前記ターボファンは、モータに取り付けるためのボス部と、このボス部の外周に連設されたホーン状のテーパ部と、このテーパ部の先端に連設され前記ボス部の軸線と直交するドーナツ状の円盤部と、一端側が前記円盤部に連結され他端側に吸込みリングが連結された複数のブレードとを備え、前記ブレードの少なくとも負圧面側に複数の凹部を設けたことを特徴とする空気調和機の送風機。
【請求項２】
凹部は、略半球状のディンプルとしたことを特徴とする請求項１に記載の空気調和機の送風機。
【請求項３】
凹部は、略鉛直方向の溝としたことを特徴とする請求項１に記載の空気調和機の送風機。
【請求項４】
凹部は、略水平方向の溝としたことを特徴とする請求項１に記載の空気調和機の送風機。
【請求項５】
ホーン状のテーパ部に複数の冷却孔を設けたことを特徴とする請求項１から４に記載の空気調和機の送風機。
【請求項６】
ドーナツ状の円盤部に複数の冷却孔を設けたことを特徴とする請求項１から５に記載の空気調和機の送風機。
【発明の詳細な説明】
【技術分野】
【０００１】
本発明は、家庭用から業務用まで幅広い分野で使用されている空気調和機に用いられる送風機に関するものである。
【背景技術】
【０００２】
従来の空気調和機の送風機は、室内機本体にターボファンを設けているものがある（例えば、特許文献１参照）。
【０００３】
図４は、従来の空気調和機の室内機の断面図である。図４に示すものは天井埋込形空気調和機の一例であるが、室内機本体１は、熱交換器２と、モータ４と、モータ４に取り付けられたターボファン３と、ターボファン３の吸い込み側の外周を囲むオリフィス５と、室内機本体１の下面を覆い、吸込グリル６ａと吹出グリル６ｂとを有する化粧パネル６とで構成されている。
【０００４】
図５は、従来の空気調和機の送風機のターボファンの斜視断面図である。ターボファン３は、モータ４の回転軸と連結するボス部３ａと、ボス部３ａの外周に連設されたホーン状のテーパ部３ｂと、テーパ部３ｂの先端に連設されボス部３ａの軸線と直交するドーナツ状の円盤部３ｃと、一端側が円盤部３ｃに連結され他端側に吸込みリング３ｄが連結された複数のブレード３ｅとからなる。
【０００５】
図４において、ターボファン３がモータ４により回転すると、室内の空気は吸込グリル６ａより流入し、ターボファン３のブレード３ｅから略水平方向に吐出されて熱交換器２を通過し、吹出グリル６ｂより室内に吹き出される。
【特許文献１】特開平９−１３３３７４号公報
【発明の開示】
【発明が解決しようとする課題】
【０００６】
しかしながら、前記従来の構成では、ターボファンのブレードの負圧面側で気流の剥離して乱流が発生するため、送風騒音が増加するという問題を有していた。また、テーパ部に覆われたモータの熱がこもり、過熱しやすいという問題を有していた。
【０００７】
本発明は、前記従来の課題を解決するもので、ブレードの負圧面側での剥離による乱流を低減し、送風騒音を低減できるとともに、モータを過熱しにくくしてコストを削減することができる空気調和機の送風機を提供することを目的とする。
【課題を解決するための手段】
【０００８】
前記従来の課題を解決するために、本発明の空気調和機の送風機は、ターボファンのブレードの負圧面側に複数の凹部を設けたことを特徴とする。これによって、ブレードの負圧面側での剥離が減少するため、送風騒音を低減することができる。
【０００９】
また、本発明の空気調和機の送風機は、ボス部の外周に連設されたホーン状のテーパ部に複数の冷却孔を設けたことを特徴とする。これによって、モータの温度上昇を低減できるため、モータの積厚を増やさずに、回転数アップでき、モータの材料費を低減でき、コストを削減することができる。
【発明の効果】
【００１０】
本発明の空気調和機の送風機は、ターボファンのブレードの負圧面側での剥離が減少す
るため、送風騒音を低減することができる。また、複数の冷却孔により、モータの温度上昇を低減して過熱を抑制できるため、モータの材料費を低減でき、コストを削減することができる。
【発明を実施するための最良の形態】
【００１１】
第１の発明は、空気調和機の送風機のターボファンのブレードの負圧面側に複数の凹部を設けることにより、ブレードの負圧面側での剥離が減少するため、送風騒音を低減することができる。
【００１２】
第２の発明は、凹部を略半球状のディンプルとしたもので、負圧面における気流の乱れをディンプルによる微細な負圧発生により抑制することができ、送風騒音を低減することができる。
【００１３】
第３の発明は、凹部を略鉛直方向の溝としたもので、第２の発明と同様に負圧面での剥離が減少するため、送風騒音を低減することができる。
【００１４】
第４の発明は、ターボファンのブレードの負圧面側に複数のリブを略水平方向に設けることにより、負圧面における乱流を整流して剥離が減少するため、送風騒音を低減することができる。
【００１５】
第５の発明は、ボス部の外周に連設されたホーン状のテーパ部に複数の冷却孔を設けることにより、モータの温度上昇を低減できるため、モータの積厚を増やさずに回転数アップでき、モータの材料費を低減でき、コストを削減することができる。
【００１６】
第６の発明は、ドーナツ状の円盤部に複数の冷却孔を設けることにより、第３の発明と同様にモータの温度上昇を低減できるため、モータの積厚を増やさずに回転数アップでき、モータの材料費を低減でき、コストを削減することができる。
【００１７】
以下、本発明の実施の形態について、図面を参照しながら説明する。なお、この実施の形態によって本発明が限定されるものではない。
【００１８】
（実施の形態１）
本発明における空気調和機の室内機の構成は、図４に示した従来の構成と同様である。図１は、本発明の実施の形態１における空気調和機の送風機のターボファンの斜視断面図である。図１に示すように、ターボファン３は、ボス部３ａと、ボス部３ａの外周に連設されたホーン状のテーパ部３ｂと、テーパ部３ｂの先端に連設されボス部３ａの軸線と直交するドーナツ状の円盤部３ｃと、一端側が円盤部３ｃに連結され他端側に吸込みリング３ｄが連結された複数のブレード３ｅからなる。図面上、ターボファン３は右回りであり、下方から空気を吸い込んで遠心方向に吹き出すことによりブレード３ｅの凹面側が負圧面となる。本実施の形態においては、この複数のブレード３ｅそれぞれの負圧面側に複数の略半球形状のディンプル３ｆを設けた。この結果、ブレードの負圧面側での気流に対して、さらにディンプル３ｆによる微細な負圧が作用して乱流が低減されて剥離が抑制されるため、送風騒音を低減することができる。
【００１９】
以上のように、本実施の形態においては、ターボファンのブレードの負圧面側に複数の略半球形状のディンプルを設けることにより、ブレードの負圧面側での剥離が減少するため、送風騒音を低減することができる。
【００２０】
なお、ディンプルに代えて、略鉛直方向の溝を形成しても良い。これらディンプルや溝の凹部の大きさや深さは、使用条件によって適宜設定されるものである。
【００２１】
（実施の形態２）
図２は、本発明の実施の形態２における空気調和機の送風機のターボファンの斜視断面図である。図２において、複数のブレード３ｅそれぞれの負圧面側に複数の溝３ｇを略水平方向に設けた。この結果、ブレードの負圧面側での乱流を整流することにより剥離が減少するため、送風騒音を低減することができる。
【００２２】
以上のように、本実施の形態においては、ターボファンのブレードの負圧面側に複数の溝を略水平方向に設けることにより、ブレードの負圧面側での剥離が減少するため、送風騒音を低減することができる。
【００２３】
（実施の形態３）
図３は、本発明の実施の形態３における空気調和機の送風機のターボファンの斜視断面図である。図３において、複数のブレード３ｅそれぞれの負圧面側に複数の略半球形状のディンプル３ｆを設けている。さらに、ボス部３ａの外周に連設されたホーン状のテーパ部３ｂに複数の冷却孔３ｈを設け、ボス部３ａの外周に連設されたホーン状のテーパ部３ｂと、テーパ部３ｂの先端に連設されボス部３ａの軸線と直交するドーナツ状の円盤部３ｃに複数の冷却孔３ｉを設けた。この結果、ブレードの負圧面側での剥離が減少するため、送風騒音を低減することができるとともに、冷却孔３ｈ，３ｉを通じて多くの空気の流れがモータ４の周囲に発生してモータの温度上昇を低減できるため、モータの積厚を増やさずに回転数アップでき、モータの材料費を低減でき、コストを削減することができる。なお、冷却孔の位置、大きさ及び数量については使用条件によって適宜設定されるものであり、冷却孔３ｈと冷却孔３ｉについてはいずれか一方でも良く、必ずしも同時に設ける必要はないものである。
【００２４】
以上のように、本実施の形態においては、ターボファンのブレードの負圧面側に複数の略半球形状のディンプルまたは溝を設けることにより、ブレードの負圧面側での剥離が減少するため送風騒音を低減することができる。また、ボス部の外周に連設されたホーン状のテーパ部や、テーパ部の先端に連設されボス部の軸線と直交するドーナツ状の円盤部に複数の冷却孔を設けることにより、モータの温度上昇を低減できるため、モータの積厚を増やさずに回転数アップでき、モータの材料費を低減でき、コストを削減することができる。
【産業上の利用可能性】
【００２５】
以上のように、本発明にかかる空気調和機の送風機は、送風騒音を低減することが可能となるので、セパレート式及び一体式の空気調和機で、特にインバ−タ機、一定速機の用途に適用できるとともに、空気調和機に限らずターボファンを利用する機器に適用できる。
【図面の簡単な説明】
【００２６】
【図１】本発明の実施の形態１における空気調和機の送風機のターボファンの斜視断面図
【図２】本発明の実施の形態２における空気調和機の送風機のターボファンの斜視断面図
【図３】本発明の実施の形態３における空気調和機の送風機のターボファンの斜視断面図
【図４】本発明の実施の形態１および従来の空気調和機の室内機の断面図
【図５】従来の空気調和機の送風機におけるターボファンの部分説明図
【符号の説明】
【００２７】
１  空気調和機の送風機（室内機本体）
２  熱交換器
３  ターボファン
３ａ  ボス部
３ｂ  テーパ部
３ｃ  ドーナツ状の円盤部
３ｄ  吸込みリング
３ｅ  ブレード
３ｆ  略半球形状のディンプル
３ｇ  リブ
３ｈ、３ｉ  冷却用孔
４  モータ
５  オリフィス
６  吹出グリル
【図１】
2007303714.tif 000003
【図２】
2007303714.tif 000004
【図３】
2007303714.tif 000005
【図４】
2007303714.tif 000006
【図５】
2007303714.tif 000007